(57)【要約】      （修正有）【課題】足において角質化しやすい部位に重点的に角質層除去効果を与えることができる角質層除去具を提供する。【解決手段】足に着用されて用いられるものであり、足の皮膚の角質層乃至胼胝がある所定の部位と接触して取り除くための角質層除去具であって、第１の内部空間３１０を有する袋状であって、足を着用する側に第１の開口３１１が形成されている外カバー３と、角質層除去液を含むことができる材料からなっている上、第１の内部空間３１０に設けられており、且つ足が収容される第２の内部空間と足を着用する側に第２の開口とを有するように外カバー３と内外対応する袋状に形成されており、また、内面における上記所定の部位に対応する箇所に角質層除去液の吸着性が補強された補強吸着部４１２、４１３が構成されている内カバー４とを具えていることを特徴とする角質層除去具。【選択図】図５
0003179730.tif 000002
【実用新案登録請求の範囲】
【請求項１】
足に着用されて用いられるものであり、且つ、足の皮膚の肥厚してなった角質層乃至胼胝がある所定の部位と接触して取り除くための角質層除去具であって、
第１の内部空間を有する袋状であって、足を着用する側に第１の開口が形成されている外カバーと、
角質層除去液を含むことができる材料からなっている上、前記第１の内部空間に設けられており、且つ足が収容される第２の内部空間と足を着用する側に第２の開口とを有するように前記外カバーと内外対応する袋状に形成されており、また、内面における前記所定の部位に対応する箇所に角質層除去液の吸着性が補強された補強吸着部が構成されている内カバーと、
を具えていることを特徴とする角質層除去具。
【請求項２】
前記補強吸着部は、前記内カバーの一部が波状に折り畳まれて形成された凹凸構造であることを特徴とする請求項１に記載の角質層除去具。
【請求項３】
前記補強吸着部は、前記内カバーの内面に設置された吸着パッドからなっていることを特徴とする請求項１に記載の角質層除去具。
【請求項４】
前記内カバー及び前記外カバーは、いずれも一枚のシート材を折り畳んでから折り畳んだ周縁における前記第１の開口または第２の開口以外の部分を接合させてなったものであることを特徴とする請求項１〜３のいずれか一項に記載の角質層除去具。
【請求項５】
前記内カバーと前記補強吸着部とに、角質層除去液が含浸されていることを特徴とする請求項１〜４のいずれか一項に記載の角質層除去具。
【考案の詳細な説明】
【技術分野】
【０００１】
本考案は、足の皮膚をケアする器具に関し、特に足の角質層除去具に関する。
【背景技術】
【０００２】
足は身体の中でも圧力、摩擦、衝撃を受けやすい部位であり、特に足裏の皮膚、特にかかとや、中足骨頭部に対応する足指と土踏まずとの間の丘状部分（以下、中足部分）の皮膚は歩行の際に例えば靴の中敷や床板と頻繁に摩擦するため角質化しやすく、ひいては胼胝になる。そこで、このように角質化することで生成されるいわゆる角質層（胼胝を含む）に湿潤性を与えて軟らかくしたり、または除去したりするための製品が多く出回っている。
【０００３】
図１、図２、図３に示したのは、一般に用いられている足裏の角質層除去具の例である。この角質層除去具１１は、２枚のシート材を用いて、着用時において足を挿入する側が開口（第１の開口１１４参照）する内部空間１１０を有するようにそれぞれの周囲が互いに接着されて袋状に形成された外カバー１１１と、外カバー１１１における前記２枚のシート材に対応する２枚のシート材を用いて、着用時において足を挿入する側が開口（第２の開口１１６参照）する足収容空間１１５を有するようにそれぞれの周囲が互いに接着されて袋状に形成されている上、外カバーの内部に設けられ、且つ、角質層除去液が含浸された内カバー１１２とからなっている。
【０００４】
使用の際には、足１９０を第１の開口１１４および第２の開口１１６から足収容空間１１５に入れ、入れた状態を３０分から１２０分ほど維持することで、内カバー１１２に含まれている角質層除去液により足１９０に角質層除去効果をもたらすことができる。
【考案の概要】
【考案が解決しようとする課題】
【０００５】
しかしながら上記の角質層除去具１１には、以下の問題点がある。つまり、角質層除去液はほぼ均等に内カバー１１２に含まれるので、特に角質層が肥厚化しやすい部位、例えばかかと１９１および中足部分１９２など、特定の部位に角質層除去効果を選択的に与えることができない。そこで本考案は、これらの問題点を解決するべく、足において角質化しやすい部位に重点的に角質層除去効果を与えることができる角質層除去具の提供を目的とする。
【課題を解決するための手段】
【０００６】
前記目的を達成するために、本考案は、足に着用されて用いられるものであり、且つ、足の皮膚が肥厚してなった角質層ないしは胼胝がある所定の部位と接触してこれらを取り除くための角質層除去具であって、第１の内部空間を有する袋状であって、足を着用する側に第１の開口が形成されている外カバーと、角質層除去液を含むことができる材料からなっている上、前記第１の内部空間に設けられており、且つ足が収容される第２の内部空間と足を着用する側に第２の開口とを有するように前記外カバーと内外対応する袋状に形成されており、また、内面における前記所定の部位に対応する箇所に角質層除去液の吸着性が補強された補強吸着部が構成されている内カバーとを備えていることを特徴とする角質層除去具を提供する。
【０００７】
また、前記補強吸着部は、前記内カバーの一部が波状に折り畳まれて形成された凹凸構造であることが好ましく、あるいは前記内カバーの内面に設置された吸着パッドからなっていることが好ましい。
【０００８】
また、前記内カバー及び前記外カバーは、いずれも一枚のシート材を折り畳んでから折り畳んだ周縁における前記第１の開口または第２の開口にあたる部分以外を接合させてなったものであることが好ましい。
【０００９】
また、前記内カバーと補強吸着部とに角質層除去液が含浸されていることが好ましい。
【考案の効果】
【００１０】
上記構成により、本考案に係る角質層除去具は、第１および第２の補強吸着部を有することで、着用者の足において特に角質層除去効果を与えたい特定の部位により多くの角質層除去液を接触させることができるので、角質層除去効果を重点的に且つ効果的に与えることができる。
【図面の簡単な説明】
【００１１】
【図１】従来の角質層除去具を示す分解斜視図である。
【図２】従来の角質層除去具を示す組立図である。
【図３】従来の角質層除去具の使用態様を示す横断面概略図である。
【図４】本考案に係る角質層除去具の第１の実施形態を示す分解斜視図である。
【図５】上記第１の実施形態を示す組立図である。
【図６】上記第１の実施形態における使用態様を示す横断面概略図である。
【図７】上記第１の実施形態における使用態様を示す縦断面概略図である。
【図８】上記第１の実施形態における別の一例の使用態様を示す縦断面概略図である。
【図９】本考案に係る角質層除去具の第２の実施形態を示す分解斜視図である。
【図１０】上記第２の実施形態を示す組立図である。
【図１１】本考案に係る角質層除去具の第３の実施形態において、補強吸着部が未形成である状態を示す斜視図である。
【図１２】上記第３の実施形態において、補強吸着部が形成された状態を示す斜視図である。
【図１３】上記第３の実施形態における使用態様を示す横断面概略図である。
【考案を実施するための形態】
【００１２】
以下、添付図面を参照しながら、３つの実施形態を具体例として本考案を詳しく説明する。また、説明で用いる前後左右など方向を示す語は、使用者から見た方向を基準としている。
【００１３】
［第１の実施形態］
図４、図５、図６は、本考案に係る角質層除去具の第１の実施形態を示す図であり、角質層除去具２は、使用者の足１００（図６参照）に着用されて用いられるものであり、且つ、足１００の皮膚における角質層乃至角質層が肥厚してなった胼胝がある所定の部位と接触してこれを取り除くためのものである。本実施形態においては、該所定の部位が２箇所あるものとして、その内かかと付近を第１の所定の部位１０１、中足部分付近を第２の所定の部位１０２として説明する。
【００１４】
角質層除去具２は、第１の内部空間３１０を有する袋状であって、足を着用する側に第１の開口３１１が形成されている外カバー３と、角質層除去液を含むことができる材料からなっている上、第１の内部空間３１０に設けられており、且つ足１００が収容される第２の内部空間４１０（背景技術の説明における足収容空間１１５に相当）と足を着用する側に開口する第２の開口４１１とを有するように外カバー３と内外対応する袋状に形成されており、また、内面における第１および第２の所定の部位１０１、１０２に対応する箇所に角質層除去液の吸着性が補強された第１および第２の補強吸着部４１２、４１３がそれぞれ構成されている内カバー４とを具えている。
【００１５】
［外カバー３の構成］
外カバー３は、水を通さない、例えば透明のプラスチック材料からなる一枚のシート材３０を折り畳んでから折り畳んだ周縁における前記第１の開口３１１にあたる部分以外を接合させてなったものであり、着用しやすいように足の形状に対応して立体に形成されている。
【００１６】
更に詳説すると、図４に示されているように、外カバー３をなすシート材３０は、着用された際に足裏に対応する部分となる外底片３２と、外底片３２の両側からそれぞれ反対の方向に延伸し、折り畳まれた際に外底片３２と共に第１の内部空間３１０を画成する第１の外側片３３および第２の外側片３４とからなっている。
【００１７】
外底片３２は、前方に突出するように延伸した前凸部３２１と、後方に突出するように延伸した後凸部３２２とを有している。
【００１８】
第１の外側片３３は、前凸部３２１の左側に位置し前凸部３２１と同じ方向に延伸した第１の辺部３３１と、後凸部３２２の左側に位置し後凸部３２２と同じ方向に延伸した第２の辺部３３２と、第１の辺部３３１と第２の辺部３３２とを繋ぐ第３の辺部３３３とを有している。
【００１９】
第１の辺部３３１は、前凸部３２１に繋がる第１の前横方向接合周辺３３４と、第１の前横方向接合周辺３３４と第３の辺部３３３とにそれぞれ繋がる第１の前縦方向接合周辺３３５とを有している。
【００２０】
第２の辺部３３２は、後凸部３２２に繋がる第１の後横方向接合周辺３３６と、第１の後横方向接合周辺３３６と第３の辺部３３３とにそれぞれ繋がる第１の後縦方向接合周辺３３７とを有している。
【００２１】
また、第２の外側片３４も、その構成は第１の外側片３３と同様で、以下の通りである。
【００２２】
第２の外側片３４は、前凸部３２１の右側に位置し前凸部３２１と同じ方向に延伸した第４の辺部３４１と、後凸部３２２の右側に位置し後凸部３２２と同じ方向に延伸した第５の辺部３４２と、第４の辺部３４１と第５の辺部３４２とを繋ぐ第６の辺部３４３とを有している。
【００２３】
第４の辺部３４１は、前凸部３２１に繋がる第２の前横方向接合周辺３４４と、第２の前横方向接合周辺３４４と第６の辺部３４３とにそれぞれ繋がる第２の前縦方向接合周辺３４５とを有している。
【００２４】
第５の辺部３４２は、後凸部３２２に繋がる第２の後横方向接合周辺３４６と、第２の後横方向接合周辺３４６と第６の辺部３４３とにそれぞれ繋がる第２の後縦方向接合周辺３４７とを有している。
【００２５】
上記の構成により、外カバー３を足の形状に対応して立体に形成する際には、第１の外側片３３および第２の外側片３４それぞれの第１および第２の前縦方向接合周辺３３５、３４５を互いに重ねて接合し、また第１および第２の前横方向接合周辺３３４、３４４を外底片３２の前凸部３２１に重ねて接合し、同様にそれぞれの第１および第２の後縦方向接合周辺３３７、３４７を互いに重ねて接合し、またそれぞれの第１および第２の後横方向接合周辺３３６、３４６を外底片３２の後凸部３２２に重ねて接合することで、第３の辺部３３３と第６の辺部３４３との間に形成された第１の開口３１１に繋がる第１の内部空間３１０が画成される。
【００２６】
［内カバー４の構成］
内カバー４は、液体を含むことができる、例えば不織布からなる一枚のシート材４０を折り畳んで折り畳んだ周縁における前記第２の開口４１１にあたる部分以外を接合させてなったものであり、着用しやすいように足の形状に対応して立体に形成されている。
【００２７】
更に詳説すると、図４に示されているように、内カバー４をなすシート材４０は、外カバー４の外底片３２に対応する内底片４２と、内底片４２の両側からそれぞれ反対の方向に延伸し、折り畳まれた際に内底片４２と共に第２の内部空間４１０を画成する第１の内側片４３および第２の内側片４４とからなっており、第１の内側片４３は外カバーの第１の外側片３３と、第２の内側片４４は外カバーの第２の外側片４３とにそれぞれ対応している。
【００２８】
内底片４２は、前方に突出するように延伸した前縁部４２１と後方に突出するように延伸した後縁部４２２とを有している。
【００２９】
第１の内側片４３は、前縁部４２１の左側に位置し前縁部４２１と同じ方向に延伸した第１の縁部４３１と、後縁部４２２の左側に位置し後縁部４２２と同じ方向に延伸した第２の縁部４３２と、第１の縁部４３１と第２の縁部４３２とを繋ぐ第３の縁部４３３とを有している。
【００３０】
第１の縁部４３１は、前縁部４２１に繋がる第１の前横方向接合周縁４３４と、第１の前横方向接合周縁４３４と第３の縁部４３３とにそれぞれ繋がる第１の前縦方向接合周縁４３５とを有している。
【００３１】
第２の縁部４３２は、後縁部４２２に繋がる第１の後横方向接合周縁４３６と、第１の後横方向接合周縁４３６と第３の縁部４３３とにそれぞれ繋がる第１の後縦方向接合周縁４３７とを有している。
【００３２】
また、第２の内側片４４も、その構成は第１の内側片４３と同様で、以下の通りである。
【００３３】
第２の内側片４４は、前縁部４２１の右側に位置し前縁部４２１と同じ方向に延伸した第４の縁部４４１と、後縁部４２２の右側に位置し後縁部４２２と同じ方向に延伸した第５の縁部４４２と、第４の縁部４４１と第５の縁部４４２とを繋ぐ第６の縁部４４３とを有している。
【００３４】
第４の縁部４４１は、前縁部４２１に繋がる第２の前横方向接合周縁４４４と、第２の前横方向接合周縁４４４と第６の縁部４４３とにそれぞれ繋がる第２の前縦方向接合周縁４４５とを有している。
【００３５】
第５の縁部４４２は、後縁部４２２に繋がる第２の後横方向接合周縁４４６と、第２の後横方向接合周縁４４６と第６の縁部４４３とにそれぞれ繋がる第２の後縦方向接合周縁４４７とを有している。
【００３６】
上記の構成により、内カバー４を足の形状に対応して且つ外カバー３と内外対応する袋状に立体に形成する際には、第１の内側片４３および第２の内側片４４それぞれの第１および第２の前縦方向接合周縁４３５、４４５を互いに重ねて接合し、また第１および第２の前横方向接合周縁４３４、４４４を内底片４２の前縁部４２１に重ねて接合し、同様にそれぞれの第１および第２の後縦方向接合周縁４３７、４４７を互いに重ねて接合し、またそれぞれの第１および第２の後横方向接合周縁４３６、４４６を内底片４２の後縁部４２２に重ねて接合することで、第３の縁部４３３と第６の縁部４４３との間に形成された第２の開口４１１に繋がる第２の内部空間４１０が画成される。
【００３７】
ここで、本実施形態においては、第１および第２の補強吸着部４１２、４１３を、使用者の足における第１および第２の所定の部位１０１、１０２とにそれぞれ接触するように、内カバー４の内面、具体的には内底片４２に互いに間隔をおいて設けたが、第１および第２の補強吸着部４１２、４１３の設置位置についてはこれに限らない。
【００３８】
また、本実施形態においては、第１および第２の補強吸着部４１２、４１３はそれぞれ、内底片４２に設置された第１および第２の吸着パッド５１、５２からなっている。
【００３９】
第１および第２の吸着パッド５１、５２は、内カバー４と同様に角質層除去液を含むことができる材料からなり、内カバー４の他の部分よりも多くの角質層除去液を吸着保持できるように所定の厚みを有している。
【００４０】
上記所定の部位と接触してこれを取り除くための角質層除去液は、内カバー４と、第１および第２の補強吸着部４１２、４１３（本実施形態では第１および第２の吸着パッド５１、５２）とに既に含浸されていてもよく、あるいは使用の際に使用者によって含浸されるように構成してもかまわない。
【００４１】
上記の構成により、第１および第２の吸着パッド５１、５２からなった第１および第２の補強吸着部４１２、４１３は、内カバー４の他の部分よりも厚みがあるので、角質層除去液を内カバー４における他の部分よりも多く吸着保持することができる。これにより着用者の足における特定の部位に角質層除去効果を選択的に与えることが可能となる。
【００４２】
なお、本実施形態においては補強吸着部を２つ設けたが、数量はこれに限らず例えば１つだけ設けてもかまわず、吸着パッドもこれに応じて、例えばかかと側に１つだけ設けたり、または中足部位側に１つだけ設けたりしてもよい。
【００４３】
第１および第２の吸着パッド５１、５２を内カバー４の内面に設置する方法としては、貼り付けたり、または縫い付けたりすればよく、また、角質層や胼胝ができる箇所は人により異なるため、使用者の求めに応じて引き剥がしたり再び貼り付けたりできるように設置されてもよい。例えば、製造の際には第１および第２の吸着パッド５１、５２を、角質層除去具２とは別にしておき、使用の際に使用者によって第１および第２の吸着パッド５１、５２を内カバー４内の所望の位置（角質層や胼胝がある箇所に対応する位置）に来るよう調整して、例えば両面テープや面ファスナーを用いて着脱可能に設置できるように構成してもよい。
【００４４】
なお、図６、図７は、本実施形態における第１および第２の吸着パッド５１、５２の設置位置及び形状を概示しており、第１および第２の吸着パッド５１、５２は平板形状であるが、あるいは図８に示したように、足の輪郭に対応して足底を左右から包み込むようなＵ字形やお椀形に形成してもよい。
【００４５】
［第２の実施形態］
図９、図１０は、本考案の第２の実施形態を示しており、第１の実施形態との違いは、第１の実施形態では、外シート３と内シート４がそれぞれ底片（外底片３０、内底片４０）とその両側からそれぞれ延伸する側片（第１および第２の外側片３３、３４と第１および第２の内側片４３、４４）との計３部分により立体的に構成されていたのに対し、本実施形態では、外シート３および内シート４ともに、それぞれ互いに片側が繋がっている左右の側片とからこれらを折り合わすように袋状に構成されており、第１および第２の補強吸着部４１２、４１３とこれらに対応する第１および第２の吸着パッド５１、５２は、第１の実施形態と同様に使用者の足における第１および第２の所定の部位１０１、１０２とにそれぞれ接触するように、内カバー４の内面において左右の側片に跨るように互いに間隔をおいて設けられている。
【００４６】
［第３の実施形態］
図１１、図１２、図１３は、本考案の第３の実施形態を示しており、第１の実施形態との違いは、第１および第２の補強吸着部４１２、４１３として、第１の実施形態では第１および第２の吸着パッド５１、５２を用いたのに対し、本実施形態ではこれらを用いず代わりに内カバー４の一部分を折り畳んで波状に形成した凹凸構造を用いている。
【００４７】
具体的に説明すると、本実施形態における内カバー４のシート部材４０は第１の実施形態と同様に１枚のシート材からなるが、外シート３の外底片３２に対応する位置に延長形内底片４７と、延長形内底片４７の両側からそれぞれ反対の方向に延伸する第１の内側片４３と第２の内側片４４とからなっており、第１の内側片４３は外カバーの第１の外側片３３と、第２の内側片４４は外カバーの第２の外側片４３とにそれぞれ対応している。
【００４８】
延長形内底片４７は、延長形内底片４７の前後両端縁から前後方向（図１１におけるＸ方向）にそれぞれ反対に延伸している第１の延長片４７１と第２の延長片４７２とを有している。また、第１の延長片４７１における第１および第２の内側片４３、４４に繋がる箇所には、それぞれ内側に向かって切り込まれた第１の切り込み４７３、４７３が設けられており、同様に、第２の延長片４７２における第１および第２の内側片４３、４４に繋がる箇所には、それぞれ内側に向かって切り込まれた第２の切り込み４７４、４７４が設けられている。
【００４９】
以上の構造により、第１および第２の延長片４７１、４７２がそれぞれ前後方向内側に向かって対向するように折り畳まれると、延長形内底片４７の長さが外カバー３の外底片３２の長さに対応するようになると共に、図１２に示されているように波状に形成された凹凸構造である第１および第２の補強吸着部４１２、４１３が、使用者により着用された際に上述した第１および第２の所定の部位１０１、１０２に対応する位置に形成される。
【００５０】
本実施形態においては、第１および第２の補強吸着部４１２、４１３は波状に形成された凹凸構造を有していることから体積が比較的大きいので、角質層除去液を内カバー４における他の部分よりも多く吸着保持することができる。これにより着用者の足における特定の部位に角質層除去効果を選択的に与えることが可能となる。
【００５１】
なお、本実施例では第１および第２の補強吸着部４１２、４１３の凹凸構造を、第１および第２の延長片４７１、４７２を波状に折り畳むことにより形成したが、これに限らず、例えば特定の工具を用いて内カバー４のシート材４０の表面を鋸型に加工したり、あるいはプレス機器により液体を吸収できるシート材に不規則なまたはパターン化された凹凸構造を持たせ、これを外カバー３のシート材３０と形状が対応するように裁断することで内カバー４のシート材４０としても構わない。
【００５２】
また更に、第１および第２の実施形態で用いた第１および第２の吸着パッド５１、５２に、第３の実施形態で形成したような凹凸構造を持たせてもよく、こうすることで第１および第２の吸着パッド５１、５２はより多くの角質層除去液を含むことが可能となる。
【００５３】
なお、内カバー４および外カバー３をそれぞれ折り畳んでから折り畳んだ周縁を接合させて袋状にする際の接合方法、並びに内カバー４を外カバー３内に定位させる方法は特に限られず、例えば超音波や熱を用いた溶接でもよく、あるいは接着剤を用いた接着でもよい。
【００５４】
上記各実施形態の構成により得られる効果を以下に統括する。
【００５５】
まず、第１および第２の吸着パッド５１、５２からあるいは波状に形成された凹凸構造からなった第１および第２の補強吸着部４１２、４１３を有することで、着用者の足において特に角質層乃至胼胝除去効果を与えたい特定の部位、例えばかかと部分や中足部分に対応する箇所により多くの角質層除去液を含ませることができるので、角質層除去効果を効果的に与えることができる。
【００５６】
また、例えばかかと部分や中足部分に対応する第１および第２の補強吸着部４１２、４１３は、着用された際に使用者の体重により特に押圧がかかり含浸されている角質層除去液が押し出されてしまいやすいが、第１および第２の吸着パッド５１、５２あるいは凹凸構造を有していることで比較的多くの量の角質層除去液を含むことができるので、たとえ着用された際に一部の角質層除去液が押し出されてしまっても、一部の角質層除去液は残り、これにより一定の角質層除去効果を確保することができる。
【００５７】
また、外カバー３と内カバー４がそれぞれ一枚のシート材からなっているので、図３に示した従来の角質層除去具が有する継ぎ目１１７に相当する箇所が無いことから着用感も向上されている上に、製造時においては裁断により出るはぎれが少なくて済む。
【００５８】
以上、本考案の好ましい実施形態を説明したが、本考案はこれに限定されるものではなく、その要旨を逸脱しない範囲で種々変更可能であることはいうまでもない。
【符号の説明】
【００５９】
２           角質層除去具
３           外カバー
３０         シート材
３１０ 第１の内部空間
３１１ 第１の開口
３２         外底片
３２１ 前凸部
３２２ 後凸部
３３         第１の外側片
３３１ 第１の辺部
３３２ 第２の辺部
３３３ 第３の辺部
３３４ 第１の前横方向接合周辺
３３５ 第１の前縦方向接合周辺
３３６ 第１の後横方向接合周辺
３３７ 第１の後縦方向接合周辺
３４         第２の外側片
３４１ 第４の辺部
３４２ 第５の辺部
３４３ 第６の辺部
３４４ 第２の前横方向接合周辺
３４５ 第２の前縦方向接合周辺
３４６ 第２の後横方向接合周辺
３４７ 第２の後縦方向接合周辺
４           内カバー
４０         シート材
４１０ 第２の内部空間
４１１ 第２の開口
４１２ 第１の補強吸着部
４１３ 第２の補強吸着部
４２         内底片
４２１ 前縁部
４２２ 後縁部
４３         第１の内側片
４３１ 第１の縁部
４３２ 第２の縁部
４３３ 第３の縁部
４３４ 第１の前横方向接合周縁
４３５ 第１の前縦方向接合周縁
４３６ 第１の後横方向接合周縁
４３７ 第１の後縦方向接合周縁
４４         第２の内側片
４４１ 第４の縁部
４４２ 第５の縁部
４４３ 第６の縁部
４４４ 第２の前横方向接合周縁
４４５ 第２の前縦方向接合周縁
４４６ 第２の後横方向接合周縁
４４７ 第２の後縦方向接合周縁
５１         第１の吸着パッド
５２         第２の吸着パッド
【図１】
0003179730.tif 000003
【図２】
0003179730.tif 000004
【図３】
0003179730.tif 000005
【図４】
0003179730.tif 000006
【図５】
0003179730.tif 000007
【図６】
0003179730.tif 000008
【図７】
0003179730.tif 000009
【図８】
0003179730.tif 000010
【図９】
0003179730.tif 000011
【図１０】
0003179730.tif 000012
【図１１】
0003179730.tif 000013
【図１２】
0003179730.tif 000014
【図１３】
0003179730.tif 000015